(57)【特許請求の範囲】
【請求項１】
躯体となる手押し本体と、
複数枚の用紙を切抜く一対の切抜刃と、切り抜かれた用紙を折込む一対の折込カムとを備えたガイドボックスと、該ガイドボックスを内部に設けた上スライド部を有するスライドケースと、
該スライドケースは、下部に下スライド部を設け、該下スライド部の内部には、用紙裏面に折り込まれた折曲片に、貼着物であるパッチを貼り付けるパッチ支持体と、
前記手押し本体上で前記ガイドボックスとスライドケースを上下動させる操作体と、
を備えた手押し形の綴じ具。
【請求項２】
躯体となる基台と、
複数枚の用紙を切抜く一対の切抜刃と、切り抜かれた用紙を折込む一対の折込カムとを備えたガイドボックスと、前記ガイドボックスを内部に設けた上側スライド部を有するレバースライドケースと、
該レバースライドケースは、下部に下側スライド部を設け、該下側スライド部の内部には、用紙裏面に折り込まれた折曲片に、貼着物であるパッチを貼り付けるパッチ支持体と、
前記基台上で前記ガイドボックスとレバースライドケースを上下動させるレバー操作体と、を備えたレバー形の綴じ具。
【請求項３】
前記手押し本体は、前記スライドケースを上下動させる本体ガイド部と、前記下スライド部を内部で上下動させるブロック部と、前記下スライド部の下端をロック体が前後動するロック溝と、
前記スライドケースは、ガイド部が前記本体ガイド部に係合して上下動し、前記上スライド部には前記折込カムにより、前記折曲片を用紙裏面に折り込むためのカム軸と、前記上スライド部と下スライド部の間には用紙挿入部と、
前記ガイドボックスは、前記折込カムを回動自在に設けた支軸と、前記折込カムの上部には折込カムを待機位置に復帰させる復帰ばねと、側面には連結ピンを固定し、
前記操作体は、上面に手押し部を有し、下端部に前記連結ピンを連結して前記ガイドボックスを上下動させ、上端には押下げられた前記操作体を作動前の待機位置に復帰させる復帰ばねと、後方には下端に勾配カムが形成されたカム棒とを備え、
前記手押し部を押さえて該勾配カムを下降させることにより、前記ロック体が後方に移動し、前記スライドケースを下降させて綴じ作動を行う、
請求項１記載の手押し形の綴じ具。
【請求項４】
前記基台は、前記レバースライドケースを上下動させる基台ガイド部と、前記下側スライド部を内部で上下動させるレバーブロック部と、前記下側スライド部の下端をレバーロック体が前後動するレバーロック溝と、
前記レバースライドケースは、ケースガイド部が前記基台ガイド部に係合して上下動し、前記上側スライド部には前記折込カムにより、前記折曲片を用紙裏面に折り込むためのカム軸と、前記上側スライド部と下側スライド部の間には用紙挿入部と、
前記ガイドボックスは、前記折込カムを回動自在に設けた支軸と、前記折込カムの上部には折込カムを待機位置に復帰させる復帰ばねと、側面には連結ピンを固定し、
前記レバー操作体は、レバー軸を中心に回動するレバーを設け、該レバーの前方に前記連結ピンを連結して前記ガイドボックスを上下動させ、レバー支持体の上部と前記レバーとの間には引上げられた前記レバーを作動前の待機位置に復帰させるレバー復帰ばねと、前記レバーに一体的に固定したスイングカムとを備え、
前記レバーを上方向に引上げて該スイングカムを揺動させることにより、前記レバーロック体が後方に移動し、前記レバースライドケースを下降させて綴じ作動を行う、
請求項２記載のレバー形の綴じ具。
【請求項５】
最上面にパッチ積層体を備え、該パッチ積層体を下から支えるパッチ押し筒と、該パッチ押し筒の内部には前記パッチ積層体を押し上げる貼付ばねと、
前記パッチ積層体の外周部には、上端にパッチの抜け出しを制限する止め爪を設けたパッチ止め片と、前記パッチ押し筒の外周部には、前記パッチ押し筒との間でラチェット作用を生じさせるラチェット片と、
前記パッチ積層体を充填する時に、前記パッチ押し筒を取り付けたり引き抜いたりする機能を有するパッチ取付体とを内部に設けた前記パッチ支持体、
を備えた請求項１または請求項２記載の綴じ具。」
【請求項６】
最上面にパッチ積層体を備え、該パッチ積層体の上方への抜け出しを制限する止め鍔を設けた中棒と、
前記パッチ積層体を下から支えるパッチ押し筒と、前記パッチ押し筒の内部には前記パッチ積層体を押し上げる貼付ばねと、前記パッチ押し筒の外周部には、前記パッチ押し筒との間でラチェット作用を生じさせるラチェット片と、
前記パッチ積層体を充填する時に、前記中棒と前記パッチ押し筒を取り付けたり引き抜いたりする機能を有する中棒パッチ取付体とを内部に設けた前記パッチ支持体を備え、
前記中棒は、下部に引掛け部を有し、
前記中棒パッチ取付体は、下部内部にフック軸を設け、該フック軸には引掛け片と、プッシュレバーを有するフックレバーを回動自在に設け、該フックレバーは弾性体により、前記引掛け片と前記中棒の引掛け部とが噛合った状態の待機位置を保持し、
前記パッチ積層体の充填時は、前記プッシュレバーを押すことにより、前記引掛け片と前記中棒の引掛け部の噛合いが外れて、前記中棒を外部に取り出すことができる、
請求項１または請求項２記載の綴じ具。
【請求項７】
綴じ作動時に用紙を上から押さえる用紙押え板と、
用紙に押え力を与える押えばねと、押え棒と、前記用紙押え板の取り付け位置を保持する吊り部材と、
を備えた請求項１または請求項２記載の綴じ具。
【発明の詳細な説明】
【技術分野】
【０００１】  本発明は、複数枚の用紙を重ね合わせた紙束の端部を一体的に綴じ合わせる用紙綴じ具であり、特に金属製の針を使用しない方式の綴じ具に関する。
【背景技術】
【０００２】  用紙の綴じ具としては、金属製の針を用いたステープラによって書類を綴じ合せる方法が一般的である。しかし、最近の循環型環境社会においては紙資源の再利用の観点から、金属製の針を使用しないで複数枚の用紙を綴じることが出来るステープラが実用化されている。【０００３】  従来、金属製の針を使用しないで用紙を綴じる綴じ具としては、大きく分けて２種類の方法が提案されている。第１の方法は、書類束に金属製の針の替りに、片面に接着剤が付いた貼着テープを、刃体によりテープ通し孔を穿孔した書類束の上下面に挿通して貼り付け綴じるものである（例えば、特許文献１参照）。【０００４】  第２の方法は、複数枚の用紙に第１ポンチおよび第２ポンチにより抜き穴を形成し、その抜き穴から切り起こされた舌状片を折り曲げて、抜き穴に挿通させることにより、それら複数枚の用紙を相互に綴じるものである。（例えば、特許文献２参照）。
もう一つの第２の方法の場合、複数枚の用紙に打ち抜き孔及びカット孔を形成すると共に、その打ち抜き孔から切り起こされた切起片をカット孔に挿通させることにより、それら複数枚の用紙を相互に綴じるものであり、特に、抜き刃と切込刃の形状を工夫し、綴じ込み部分をより外れ難いようにしたものである。（例えば、特許文献３参照）。
【先行技術文献】
【特許文献】
【０００５】
【特許文献１】  特開平１０−８７１号公報
【特許文献２】  特許第２９０３４９２号
【特許文献３】  特開２０１２−１３５８３２号公報
【発明の概要】
【発明が解決しようとする課題】
【０００６】  しかしながら、前記特許文献１に記載されている方法によれば、
綴じ用テープを綴じ具に装填する際、装填作業が面倒で丁寧な装填が必要である。
例えば、送り爪や送り防止爪にテープの送り孔を位置合わせする場合など、この位置合わせが不十分な場合、テープ送りが出来なくなり、書類束への綴じ用テープの貼り付けが出来なくなる。
また、書類束を綴じる際、書類束を挟持体に挿入し、書類束と共に挟持体を綴じ込み可能な設定位置まで押し込む必要がある。さらに、書類束を綴じ後、必ず書類束を挟持体と共に取り出す必要があるなど、書類束の綴じ込み準備と取り出しが面倒で手間が掛かる。
このように、綴じ具の操作に面倒な操作方法が必要とされ、万一間違った操作をすると貼着テープが綴じ具内部に付着し、テープ詰まりなどの不具合が生じ操作不能になる。【０００７】  前記特許文献２に記載されている方法によれば、
レバーにより抜き穴から切り起こされた舌状片を、折り曲げて抜き穴に挿通し、複数枚の用紙同士を絡ませて綴じるだけのため、綴じられた用紙を揺すると綴じが外れ易く完全に綴じたことにはならない。このため、大切な書類などはこの方法で綴じることには不安が生じるという問題がある。【０００８】  前記特許文献３に記載されている方法によれば、
打ち抜き孔から切り起こされた切起片をカット孔に挿通し、複数枚の用紙同士を絡ませて綴じるが、特殊な抜き刃と切込刃により、綴じ込み部分をより外れ難いようにしている。このため、特許文献２に比べると、綴じられた用紙を揺すっても簡単には外れない。
しかし、基本的には完全に綴じたのではないため、何度も揺するとゆるみが生じ、大切な書類などはこの方法で綴じることには不安が生じるという問題がある。【０００９】  本発明は、上記従来技術の問題点を解決することを課題とする。
具体的には、綴じ具を上から押すだけの簡単な操作方法で、切抜刃により複数枚の用紙に形成した折曲片を折込カムにより用紙裏面に折り曲げ、貼着物であるパッチを折曲片に貼り付けて綴じるようにした、強固な綴じ方法を提供することを課題とする。
【課題を解決するための手段】
【００１０】  請求項１に係る綴じ具は、
躯体となる手押し本体と、
複数枚の用紙を切抜く一対の切抜刃と、切り抜かれた用紙を折込む一対の折込カムとを備えたガイドボックスと、該ガイドボックスを内部に設けた上スライド部を有するスライドケースと、
該スライドケースは、下部に下スライド部を設け、該下スライド部の内部には、用紙裏面に折り込まれた折曲片に、貼着物であるパッチを貼り付けるパッチ支持体と、
前記手押し本体上で前記ガイドボックスとスライドケースを上下動させる操作体と、
を備えている。【００１１】  この構成は、綴じる対象の複数枚の用紙を一対の切抜刃により切抜いて、折込カムにより用紙裏面に折り込み、パッチを貼り付けるという手押し形の綴じ具の基本的な作動構成である。
この基本的な作動構成を、操作体により、ガイドボックスとスライドケースを上下動させるだけで、簡単迅速で確実な綴じ込み状態が可能となる、
などの課題を解決するための手段を有している。
ここで、用紙とはシート状になっているものであれば、如何なるものでもよく、紙製のもの以外にプラスチック製も含まれる。【００１２】  請求項２に係わる綴じ具は、
躯体となる基台と、
複数枚の用紙を切抜く一対の切抜刃と、切り抜かれた用紙を折込む一対の折込カムとを備えたガイドボックスと、前記ガイドボックスを内部に設けた上側スライド部を有するレバースライドケースと、
該レバースライドケースは、下部に下側スライド部を設け、該下側スライド部の内部には、用紙裏面に折り込まれた折曲片に、貼着物であるパッチを貼り付けるパッチ支持体と、
前記基台上で前記ガイドボックスとレバースライドケースを上下動させるレバー操作体と、を備えている。【００１３】  この構成は、綴じる対象の複数枚の用紙を一対の切抜刃により切抜いて、折込カムにより用紙裏面に折り込み、パッチを貼り付けるというレバー形の綴じ具の基本的な作動構成である。また、この構成は請求項１の手押し形の綴じ具の操作部分を、レバー操作にしたものである。
この基本的な作動構成を、レバー操作体により、ガイドボックスとレバースライドケースを上下動させるだけで、簡単迅速で確実な綴じ込み状態が可能となる、
などの課題を解決するための手段を有している。【００１４】  請求項３に係わる綴じ具は、
前記手押し本体は、前記スライドケースを上下動させる本体ガイド部と、前記下スライド部を内部で上下動させるブロック部と、前記下スライド部の下端をロック体が前後動するロック溝と、
前記スライドケースは、ガイド部が前記本体ガイド部に係合して上下動し、前記上スライド部には前記折込カムにより、前記折曲片を用紙裏面に折り込むためのカム軸と、前記上スライド部と下スライド部の間には用紙挿入部と、
前記ガイドボックスは、前記折込カムを回動自在に設けた支軸と、前記折込カムの上部には折込カムを待機位置に復帰させる復帰ばねと、側面には連結ピンを固定し、
前記操作体は、上面に手押し部を有し、下端部に前記連結ピンを連結して前記ガイドボックスを上下動させ、上端には押下げられた前記操作体を作動前の待機位置に復帰させる復帰ばねと、後方には下端に勾配カムが形成されたカム棒とを備え、
前記手押し部を押さえて該勾配カムを下降させることにより、前記ロック体が後方に移動し、前記スライドケースを下降させて綴じ作動を行う。【００１５】  この構成は、請求項１の主要な構成部品を、より具体的にしたものである。
この構成によれば、請求項１の手押し形の綴じ具は、全部品が躯体となる手押し本体により支持されている。
手押し本体には、本発明の主要部品であるスライドケースが上下動可能に設けられ、スライドケースの上スライド部は内部に、ガイドボックスが上下動可能に設けられており、下スライド部は内部に、パッチ支持体が挿入されている。さらに、下スライド部の下端はロック体が配置され、下スライド部の下降作動を停止している。
また、操作体は連結ピンによりガイドボックスを連結しており、一方で勾配カムを備えたカム棒を、ロック体の上部に配置している。
この構成において、手押し力により操作体を押し下げると、切抜刃と折込カムを設けたガイドボックスが下降して、複数枚の用紙を切り抜き、折り曲げる。さらに押し下げると、勾配カムがロック体を後方に移動させるため、下スライド部の停止が解除され下スライド部が下降する。この時、パッチ支持体に設けられたパッチ積層体の最上部のパッチが、折込カムにより用紙裏面に導かれた折曲片に貼り付けられる。
このように、本発明は操作体を手で押し下げるだけで、ガイドボックスが下降し、さらにスライドケースが下降して、切り抜かれた折曲片にパッチを貼り付けるという迅速で確実な綴じ形態が得られる、
などの課題を解決するための手段を有している。【００１６】  請求項４に係わる綴じ具は、
前記基台は、前記レバースライドケースを上下動させる基台ガイド部と、前記下側スライド部を内部で上下動させるレバーブロック部と、前記下側スライド部の下端をレバーロック体が前後動するレバーロック溝と、
前記レバースライドケースは、ケースガイド部が前記基台ガイド部に係合して上下動し、前記上側スライド部には前記折込カムにより、前記折曲片を用紙裏面に折り込むためのカム軸と、前記上側スライド部と下側スライド部の間には用紙挿入部と、
前記ガイドボックスは、前記折込カムを回動自在に設けた支軸と、前記折込カムの上部には折込カムを待機位置に復帰させる復帰ばねと、側面には連結ピンを固定し、
前記レバー操作体は、レバー軸を中心に回動するレバーを設け、該レバーの前方に前記連結ピンを連結して前記ガイドボックスを上下動させ、レバー支持体の上部と前記レバーとの間には引上げられた前記レバーを作動前の待機位置に復帰させるレバー復帰ばねと、前記レバーに一体的に固定したスイングカムとを備え、
前記レバーを上方向に引上げて該スイングカムを揺動させることにより、前記レバーロック体が後方に移動し、前記レバースライドケースを下降させて綴じ作動を行う。【００１７】  この構成は、請求項２の主要な構成部品を、より具体的にしたものである。
この構成によれば、請求項２のレバー形の綴じ具は、全部品が躯体となる基台により支持されている。
基台には、本発明の主要部品であるレバースライドケースが上下動可能に設けられ、レバースライドケースの上側スライド部は内部に、ガイドボックスが上下動可能に設けられており、下側スライド部は内部に、パッチ支持体が挿入されている。さらに、下側スライド部の下端はレバーロック体が配置され、下側スライド部の下降作動を停止している。
また、レバー操作体に設けられたレバーは、連結ピンによりガイドボックスを連結している。このレバーにはスイングカムを、レバーロック体の上部に配置している。
この構成において、レバーを引き上げると、切抜刃と折込カムを設けたガイドボックスが下降して、複数枚の用紙を切り抜き、折り曲げる。さらに引き上げると、スイングカムの揺動作動により、レバーロック体が後方に移動し、下側スライド部の停止が解除され下側スライド部が下降する。
この時、パッチ支持体に設けられたパッチ積層体の最上部のパッチが、折込カムにより用紙裏面に導かれた折曲片に貼り付けられる。
このように、本発明はレバーを引き上げるだけで、ガイドボックスが下降し、さらにレバースライドケースが下降して、切り抜かれた折曲片にパッチを貼り付けるという迅速で確実な綴じ形態が得られる、
などの課題を解決するための手段を有している。【００１８】  請求項５に係わる綴じ具は
最上面にパッチ積層体を備え、該パッチ積層体を下から支えるパッチ押し筒と、該パッチ押し筒の内部には前記パッチ積層体を押し上げる貼付ばねと、
前記パッチ積層体の外周部には、上端にパッチの抜け出しを制限する止め爪を設けたパッチ止め片と、前記パッチ押し筒の外周部には、前記パッチ押し筒との間でラチェット作用を生じさせるラチェット片と、
前記パッチ積層体を充填する時に、前記パッチ押し筒を取り付けたり引き抜いたりする機能を有するパッチ取付体とを内部に設けた前記パッチ支持体、を備えている。【００１９】  この構成は、請求項１および請求項２に適用されるパッチ支持体の詳細である。
この構成によれば、切抜刃で切り抜かれ、折込カムで用紙裏面に折り曲げられた折曲片に、確実にパッチを貼り付けるために、パッチ支持体を設けている。
パッチ支持体は、片面に接着剤を塗布した貼着物であるパッチを最上面に設けており、このパッチを多くの綴じ回数に対応するため積層体にしている。
また、綴じ回数を重ねると、パッチ枚数が減ると共に、パッチの最上面が少しずつ下方に下がり、スライドケースのストロークが不足して、パッチの貼り付けが難しくなる。
このため、パッチの最上面を一定に保つための対策として、ラチェット方式を採用している。すなわち、パッチ枚数が減るとパッチ押し筒が貼付ばねにより少しずつ上昇するが、この上昇する分をラチェットで受けて、下がり止めとしている。
また、パッチ積層体を充填する時に、容易に充填ができるように、パッチ取付体を設けて迅速な充填作業を可能にしている、
などの課題を解決するための手段を有している。【００２０】  請求項６に係わる綴じ具は、
最上面にパッチ積層体を備え、該パッチ積層体の上方への抜け出しを制限する止め鍔を設けた中棒と、
前記パッチ積層体を下から支えるパッチ押し筒と、前記パッチ押し筒の内部には前記パッチ積層体を押し上げる貼付ばねと、前記パッチ押し筒の外周部には、前記パッチ押し筒との間でラチェット作用を生じさせるラチェット片と、
前記パッチ積層体を充填する時に、前記中棒と前記パッチ押し筒を取り付けたり引き抜いたりする機能を有する中棒パッチ取付体とを内部に設けた前記パッチ支持体を備え、
前記中棒は、下部に引掛け部を有し、
前記中棒パッチ取付体は、下部内部にフック軸を設け、該フック軸には引掛け片と、プッシュレバーを有するフックレバーを回動自在に設け、該フックレバーは弾性体により、前記引掛け片と前記中棒の引掛け部とが噛合った状態の待機位置を保持し、
前記パッチ積層体の充填時は、前記プッシュレバーを押すことにより、前記引掛け片と前記中棒の引掛け部の噛合いが外れて、前記中棒を外部に取り出すことができる。【００２１】  この構成は、請求項１および請求項２に適用される中棒パッチ支持体の詳細である。
請求項５のパッチ支持体の場合、最上面に設けられたパッチの上方への抜け止めとして、パッチ積層体の外周部には、上端にパッチの抜け出しを制限する止め爪を設けたパッチ止め片を設けている。請求項６の場合、このパッチ止め片に代わり、中棒でパッチの抜け出しを制限するものである。
この構成によれば、中棒によりパッチの抜け出しを制限することにより、パッチ充填時にパッチ積層体をばらけることなく装着できる。また、取り出した中棒を中棒パッチ取付体から外すには、プッシュレバーを押すだけで外れるため、充填作業が迅速にできる、
などの課題を解決するための手段を有している。【００２２】  請求項７に係わる綴じ具は、
綴じ作動時に用紙を上から押さえる用紙押え板と、
用紙に押え力を与える押えばねと、押え棒と、前記用紙押え板の取り付け位置を保持する吊り部材とを備えている。【００２３】  この構成は、請求項１および請求項２に適用される用紙押え板の詳細である。
綴じようとする用紙の枚数が多い場合に、用紙同士がずれないように上から押さえて、切抜刃により用紙を綺麗に切り抜く、用紙押え板の機構である。
この用紙押え板の機構を適用した場合と、適用していない綴じ具と比べた場合の操作性は何ら変わることない。しかしながら、この構成では用紙の枚数が多い場合でも、迅速に綺麗に綴じることができる、
などの課題を解決するための手段を有している。
【発明の効果】
【００２４】  本発明に係る綴じ具によれば、
従来の貼着テープによる綴じ方法に比べて機構が簡素であり、操作方法も簡単で、本発明のパッチ自身の作動も上昇するだけの極めて簡潔なものである。
また、打ち抜き孔から切り起こされた切起片をカット孔に挿通し、複数枚の用紙同士を絡ませて綴じる方法に比べて、本発明は切抜刃と切込カムにより形成された折曲片に、パッチを貼り付けて強固に綴じる方法のため、綴じ部が外れ難い。【００２５】  このように、本発明は、従来の金属製の針を使用しないで用紙を綴じる綴じ具に比べて、機構が簡素・操作方法も簡単でありながら、用紙の綴じ部が極めて外れ難く、信頼性の高い綴じ効果を有するため、これまで金属針の除去が面倒で廃棄物として廃棄していた紙資源の再利用が促進される効果を有する。
【図面の簡単な説明】
【００２６】
【図１】  実施例１を示す正面断面図である。
【図２】  実施例１を示す図１のａ−ａ矢視に沿う側面断面図である。
【図３】  実施例１を示す図１のｂ−ｂ矢視に沿う上面図である。
【図４】  実施例１を示す図１のｃ−ｃ矢視に沿う上面断面図である。
【図５】  実施例１を示す図１のｄ−ｄ矢視に沿う上面断面図である。
【図６】  実施例１を示す図１のｅ−ｅ矢視に沿う上面断面図である。
【図７】  実施例１を示す図１のｆ−ｆ矢視に沿う上面断面図である。
【図８】  実施例１の手押し本体を示す斜視図である。
【図９】  実施例１のスライドケースを示す斜視図である。
【図１０】  実施例１のパッチ支持体周りを示す斜視図である。（ａ）はパッチ支持体の斜視図である。（ｂ）はパッチ止め片の斜視図である。（ｃ）はラチェット片の斜視図である。（ｄ）はパッチ押し筒の斜視図である。（ｅ）はパッチ取付体の斜視図である。
【図１１】  実施例１の切抜刃の作動を示す正面断面図である。
【図１２】  実施例１の切抜刃の作動を示す図１１のａ−ａ矢視に沿う側面断面図である。
【図１３】  実施例１のパッチ貼り付け状態を示す正面断面図である。
【図１４】  実施例１のパッチ貼り付け状態を示す図１３のａ−ａ矢視に沿う側面断面図である。
【図１５】  実施例２を示す正面断面図である。
【図１６】  実施例２を示す図１５のｇ−ｇ矢視に沿う側面断面図である。
【図１７】  実施例２の基台を示す斜視図である。
【図１８】  実施例２のレバースライドケースを示す斜視図である。
【図１９】  実施例２の切抜刃の作動を示す正面断面図である。
【図２０】  実施例２のパッチ貼り付け状態を示す正面断面図である。
【図２１】  本発明の綴じ具により用紙の綴じた部分を示す上面図である。
【図２２】  図２１のｈ−ｈ矢視に沿う用紙の断面図である。
【図２３】  本発明のパッチの形状を示す平面図である。（ａ）は円形の平面図である。（ｂ）は円の二面をカットした平面図である。（ｃ）は角形の平面図である。
【図２４】  本発明のラチェット片とパッチ押し筒の組合せ上面図である。（ａ）は作動時の組合せ上面図である。（ｂ）はパッチ押し筒を９０度回転した上面図である。
【図２５】  パッチ押し筒の雄爪歯とラチェット片の雌爪歯の拡大断面図である。
【図２６】  本発明のパッチ充填の手順で、パッチ積層体が無くなった状態を示す正面断面図である。
【図２７】  本発明のパッチ充填の手順を示す断面図である。（ａ）は綴じ具のパッチ取付体を取り外した正面断面図である。（ｂ）は取り外したパッチ取付体の断面図である。
【図２８】  本発明のパッチ充填の手順でパッチ取付体にパッチ積層体を充填する断面図である。
【図２９】  本発明のパッチ充填の手順でパッチ取付体にパッチ積層体を充填完了した断面図である。
【図３０】  本発明のパッチ充填の手順でパッチ積層体を綴じ具に取り付けた正面断面図である。
【図３１】  本発明のパッチの保持方法をパッチ止め片から中棒に置き換えたもので、パッチ支持体周りの正面断面図である。
【図３２】  本発明のパッチの保持方法をパッチ止め片から中棒に置き換えたもので、図３１のｋ−ｋ矢視に沿う側面断面図である。
【図３３】  中棒による保持方法でのパッチ充填の手順で、パッチ積層体が無くなった状態を示す正面断面図である。
【図３４】  中棒による保持方法でのパッチ充填の手順を示す断面図である。（ａ）は綴じ具の中棒パッチ取付体を取り外した正面断面図である。（ｂ）は取り外した中棒パッチ取付体の断面図である。
【図３５】  中棒による保持方法でのパッチ充填の手順で中棒パッチ取付体から中棒を取り外した状態を示す断面図である。
【図３６】  中棒による保持方法でのパッチ充填の手順を示す断面図である。（ａ）は中棒パッチ取付体にパッチ積層体を充填する断面図である。（ｂ）は中棒パッチ取付体にパッチ積層体を充填完了した断面図である。
【図３７】  本発明に用紙押え板を設けた場合のスライドケース周りの正面断面図である。
【図３８】  本発明に用紙押え板を設けた場合の図３７のｍ−ｍ矢視に沿う側面断面図である。
【図３９】  本発明に用紙押え板を設けた場合の切抜刃の作動を示す正面断面図である。
【図４０】  図３８のｗ−ｗ矢視に沿う用紙押え板の底面平面図である。
【発明を実施するための形態】
【００２７】  本発明を実施するための形態について、実施例１および実施例２に基づいて説明する。
なお、本発明の綴じ方法の基本は、図２１および図２２に示すように複数枚の用紙Ｙに切抜孔ＹＨを左右対称に２か所形成し、その切抜孔ＹＨから切り起こされた左右対称の２か所の折曲片Ｓを、用紙Ｙの裏面で、貼着物であるパッチＰにより貼り付けることにより、それら複数枚の用紙Ｙを強固に綴じるようにしたものである。
図中、同一の符号は同一または対応の部分を示し、図面に向かって左側を前方、右側を後方とする。
【実施例１】
【００２８】  図１〜図１０は本発明の手押し形の基本構造を示す。
手押し形の綴じ具１００は、主に用紙Ｙを切抜くための一対の切抜刃２周りと、切抜かれた折曲片ＳにパッチＰを貼り付けるパッチ支持体１２周りと、手押し形の綴じ具１００を作動させる操作体１３周りで構成されている。【００２９】  手押し形の綴じ具１００の全ての部品は、手押し本体１により支持されている。手押し本体１は図８に示すように、その背骨となる背板１Ａを設け、上部に本体ガイド部１Ｃを有し、前方下部にブロック部１Ｂを設けている。また、背板１Ａの下部には本体カム溝１Ｅとロック溝１Ｄが形成されている。
なお、手押し形の綴じ具１００の外周は、カバー２０により覆われている。【００３０】  手押し本体１は図１、図２、図４、図８および図９に示すように、本体ガイド部１Ｃにスライドケース７のガイド部７Ｃを上下動可能に挿入している。スライドケース７は、上部に上スライド部７Ａを有し、下部に下スライド部７Ｂを備え、上スライド部７Ａと下スライド部７Ｂの間には用紙挿入部７Ｇを設けている。また、上スライド部７Ａと下スライド部７Ｂは、ガイド部７Ｃにより一体的に接続されており、ガイド部７Ｃの中心部分にはカム溝７Ｄが形成されている。
上スライド部７Ａは、内部の下側にカム軸３Ｃと、上部にケース蓋７Ｋを設け、側面に操作長孔７Ｆを備えている。また、下スライド部７Ｂの内部は空洞になっている。【００３１】  上スライド部７Ａは、図１、図２および図４に示すように内部にガイドボックス５を上下動可能に挿入している。ガイドボックス５は内部に一対の切抜刃２を取付け固定しており、切抜刃２の内側には折込カム３を支軸３Ａにより回動自在に取付けている。
折込カム３は上部に作動片３Ｄを設け、作動片３Ｄには折込カム３を作動後に待機位置に復帰させる復帰ばね３Ｂを上部に備えている。また、折込カム３の下部には曲げ部３Ｅを備え、この曲げ部３Ｅを内側に回動作動させるため、上スライド部７Ａの下方にカム軸３Ｃを設けている。【００３２】  ガイドボックス５の左右には一対の連結ピン１３Ａを固定している。連結ピン１３Ａは、上スライド部７Ａの操作長孔７Ｆを介して操作体１３に連結している。このため、操作体１３の上下動は連結ピン１３Ａを介してガイドボックス５を上下動させる。
操作体１３は、図１および図３に示すように上部に手で押えやすい円形形状の手押し部１３Ｃを有し、押下げられた操作体１３を待機時の状態に復帰させる復帰ばね１３Ｄを内側に設けている。また、操作体１３は、後方にカム棒１３Ｂを一体的に固定し、カム棒１３Ｂはスライドケース７のカム溝７Ｄに上下動可能に挿入されている。【００３３】  ブロック部１Ｂは図１および図２に示すように、内部に下スライド部７Ｂを上下動可能に挿入しており、ブロック部１Ｂと下スライド部７Ｂとの間にはパッチ戻しばね１６が設けられている。このブロック部１Ｂは内部にパッチ支持体１２を設け、パッチ支持体１２の内側にパッチ取付体１１を内挿している。ここで、パッチ支持体１２とパッチ取付体１１とは、９０度の回転で締め付け緩めが可能なバヨネット継手形式の取付け構造になっている。【００３４】  パッチ支持体１２は、ブロック部１Ｂに取付ボルト１２Ａにより固定されている。
このパッチ支持体１２に内挿されたパッチ取付体１１は、上端部にパッチ積層体ＰＬを設けている。ここで、パッチ積層体ＰＬは、複数枚のパッチＰが積層された状態を示す。
また、図２３に示すように、貼着物であるパッチＰには中心部分に空孔ＰＨが形成されており、平面部分の上側になる片面には接着剤が塗布されている。このため、パッチＰは接着面を上側にした状態でパッチ支持体１２に充填される。
また、パッチＰの外周形状は図２３の（ａ）に示すような円形や（ｂ）に示すような円の二面をカットした形、あるいは（ｃ）に示すような角形などが使用できる。
パッチ支持体１２は、パッチ積層体ＰＬの外周部に上方への抜け止めとして、一対のパッチ止め片９を設けて、その上端部分に形成した止め爪９Ａを備えている。さらに、パッチ支持体１２は、パッチ止め片９の下部に一対のラチェット片１０を設けている。【００３５】  一対のパッチ止め片９は図１、図５および図１０の（ｂ）に示すように、弾性体である止めばね部９Ｂにより結合され、外周部に突起９Ｄを有している止め座９Ｃの部分と一体化されている。
また、止め座９Ｃは図１および図１０の（ａ）、（ｂ）に示すようにパッチ支持体１２の円形部１２Ｂに挿入されている。ここで、円形部１２Ｂには縦溝１２Ｃを有し、パッチ止め片９の突起９Ｄが挿入されてパッチ止め片９の円周方向の位置決めをしている。【００３６】  一対のラチェット片１０は図１、図６、図１０の（ａ）、（ｃ）および図２４の（ａ）に示すように、弾性体であるラチェットばね部１０Ｂにより結合され、内側に雌爪歯１０Ａを有し、パッチ支持体１２の円形部１２Ｄに挿入されている。ラチェット片１０は外周に、突起部１０Ｃを有し、円形部１２Ｄの受け孔１２Ｅに円周方向の位置決めとして挿入されている。【００３７】  パッチ押し筒８は図１、図７、図１０の（ｄ）および図２４の（ａ）に示すように、上面でパッチ積層体ＰＬを支えており、内部に貼付ばね８Ｂを設け、外周部分の左右対称の２面に雄爪歯８Ａを有し、ラチェット片１０の雌爪歯１０Ａと噛合っている。また、パッチ押し筒８は下部の左右対称の２面に突起片８Ｃを設けている。
また、パッチ押し筒８の雄爪歯８Ａとラチェット片１０の雌爪歯１０Ａとの噛合い部分の歯の形状を図２５に示す。【００３８】  パッチ取付体１１は図１、図７および図１０の（ｅ）に示すように、上部にはスライド孔１１Ｂを形成している一対のスライド板１１Ａが左右対称に一体化されている。このスライド孔１１Ｂにはパッチ押し筒８の突起片８Ｃを挿入している。これによりパッチ取付体１１を取外し時に回す時、パッチ押し筒８も追従して回すことができる。
また、パッチ取付体１１の取り付け部分の外周は、９０度の回転で締め付け緩めが可能なバヨネット継手形式の取付け構造になっている。下面にはパッチ取付体１１を取付け取外すための回し治具を嵌める回し部１１Ｃが設けられている。【００３９】  スライドケース７は図１および図６に示すように、下スライド部７Ｂの下端をロック体１５の前方先端部分により下降が停止され、図１の作動前の待機状態が保たれている。このロック体１５は前方で下スライド部７Ｂの下端を支持し、中心付近にカム受け孔１５Ｂを形成し、後方に戻しばね１５Ａを設けている。戻しばね１５Ａは後方の手押し本体１の壁を反力受けとしてロック体１５を前方に押している。【００４０】  操作体１３は図１において復帰ばね１３Ｄにより、作動前の待機状態が保たれている。また、操作体１３に一体化しているカム棒１３Ｂの下端の勾配カム１３Ｅは、ロック体１５に形成されているカム受け孔１５Ｂの上部に位置している。ここで、ロック体１５は、手押し本体１のロック溝１Ｄに前後動可能に設けられている。さらに、ロック体１５の下側の手押し本体１に、カム棒１３Ｂを挿入するカム通し孔１Ｆが形成されている。【００４１】  本発明の作用について、図１、図２、図１１〜図１４、図２１および図２２で説明する。まず、手押し形の綴じ具１００により用紙Ｙを綴じるには、手押し形の綴じ具１００を平坦な台上に設置し、複数枚の用紙Ｙを用紙挿入部７Ｇに挿入し、手押し部１３Ｃを手で押下げる。
この手押し部１３Ｃの押下げ作動のみで、複数枚の用紙Ｙが綴じられる。【００４２】  次に、複数枚の用紙Ｙを綴じるまでの、一連の部品の動きと作用について説明する。
複数枚の用紙Ｙを用紙挿入部７Ｇに挿入し、操作体１３の手押し部１３Ｃを復帰ばね１３Ｄの圧縮力に抗して手で押下げると、その手押し操作力は連結ピン１３Ａを介してガイドボックス５を押下げる。この作動で、ガイドボックス５に固定された切抜刃２が、用紙挿入部７Ｇに挿入された複数枚の用紙Ｙを切抜く。この時、図２１に示すように用紙Ｙには切抜孔ＹＨが明けられ、折曲片Ｓが形成される。
切抜刃２が用紙Ｙを切抜いた後、図１２に示すように折込カム３の作動片３Ｄがカム軸３Ｃに当たり、折込カム３が支軸３Ａを中心に回動する。この回動作用で折込カム３の曲げ部３Ｅが折曲片Ｓを用紙Ｙの裏面に当たるまで折り曲げる。
なお、折込カム３の作動片３Ｄの回動により復帰ばね３Ｂは圧縮されて、折込カム３の復帰力を蓄える。
また、操作体１３が押下げられる時、図１１に示すように操作体１３に一体的に固定しているカム棒１３Ｂも同時に下降し、下端の勾配カム１３Ｅがロック体１５のカム受け孔１５Ｂに挿入され、カム受け孔１５Ｂの後方の壁を介して、ロック体１５を戻しばね１５Ａの圧縮力に抗して、後方に少しずつ移動させている。
このように操作体１３を押下げることによりガイドボックス５が下がり、図１１および図１２に示すように、複数枚の用紙Ｙを切抜刃２により下方に切り抜き、折曲片Ｓを内側に折り込む作業が最初に行われる。【００４３】  次に、折曲片Ｓの下面にパッチ支持体１２により、パッチＰを貼り付ける作用について説明する。
図１１および図１２の状態から操作体１３をさらに押下げると、下端の勾配カム１３Ｅの勾配部が、ロック体１５のカム受け孔１５Ｂを介して、さらにロック体１５の前方の先端部分を後方に移動させる。
このため、ロック体１５の先端部分で下降を停止されていた下スライド部７Ｂが、停止を解除され下降して、図１３および図１４に示すようなパッチＰを貼り付けた状態になる。このようにして下スライド部７Ｂが下がることにより、用紙挿入部７Ｇも下降するため、用紙挿入部７Ｇに挿入された複数枚の用紙Ｙも下がり、折曲片Ｓの下面に、上面に接着剤を付着したパッチＰが押し付けられて貼り付けられる。この貼り付けの際、操作体１３への手押し力をより増すことにより、折曲片ＳへのパッチＰの貼り付け力が強くなり、確実な綴じ力が得られる。
また、操作体１３を押し下げる場合、パッチ戻しばね１６に抗して押下げるため、パッチ戻しばね１６の圧縮力は、手押し形の綴じ具１００が待機位置に復帰するための復帰力を蓄える。【００４４】  ここで、折曲片Ｓに強固に貼り付けられた最上面のパッチＰは、上面を止め爪９Ａにより上方への飛び出し防止が成されたままである。
この状態で、操作体１３の手押し力を減衰することにより、下スライド部７Ｂが上昇を始めるが、最上面のパッチＰのみは折曲片Ｓへ強固に接着しているため、下スライド部７Ｂと共に上昇しようとする。
このため、最上面のパッチＰの上昇力は、止め爪９ＡからパッチＰを引き離そうとする。同時に最上面のパッチＰと次のパッチＰとの積層部分が離間する。従って、下スライド部７Ｂは折曲片Ｓに最上面のパッチＰのみを貼り付けて上昇する。【００４５】  図１３および図１４のパッチＰを貼り付けた状態から、操作体１３に加えた手押し力を取り去ると、パッチ戻しばね１６および復帰ばね１３Ｄの復帰力により、図１および図２の待機状態に復帰する。【００４６】  次に、図１および図２におけるパッチ支持体１２周りの機能について説明する。
パッチ支持体１２は、折曲片ＳにパッチＰを貼り付けると共に、綴じ作動により積層されたパッチＰの枚数が減少しても、次のパッチＰの貼り付けが可能なように準備する機能を有する。また、パッチ積層体ＰＬの枚数が無くなった場合に、容易に充填が可能であることが要求される。
まず、パッチＰを貼り付ける場合、次のパッチＰの貼り付けが可能なように準備する機能については、綴じ具１００が綴じ作動を繰り返すことにより、積層されたパッチＰの枚数が減少する。この減少した最上面のパッチＰを、常にパッチ止め片９の上端の止め爪９Ａの位置に保持しておき、次の綴じ作動に備える必要がある。
そのためにパッチ押し筒８は、パッチＰが減少して積層高さが低くなった分だけ上方に追従して、上昇した位置で下がらないようにロックする必要がある。【００４７】  その機能として、パッチ押し筒８は内部の貼付ばね８Ｂにより、パッチ積層体ＰＨを上部の止め爪９Ａに押し付けている。また、貼付ばね８Ｂが手押し力で縮まないように、パッチ押し筒８の雄爪歯８Ａが、ラチェット片１０の雌爪歯１０Ａと噛合っている。
この噛合い部分は図２５に示すような爪歯型であり、パッチ押し筒８が貼付ばね８Ｂにより迫り上がってくると、ラチェット片１０の雌爪歯１０Ａは、図２４に示すラチェットばね部１０Ｂのばね作用により外側に逃げるため、パッチ押し筒８は爪歯の高さ一歯分ずつ上方に上がり、ラチェット機能により再度噛合う。
また、再度噛合うと、上方のパッチ積層体ＰＬ側から手押し力が掛かってもパッチ押し筒８は下がることはない。即ち、パッチ押し筒８の雄爪歯８Ａとラチェット片１０の雌爪歯１０Ａとの噛合わせにより、パッチ押し筒８は上方には上昇可能で、下方には下降不可能となる。【００４８】  ここで、パッチ押し筒８は爪歯の高さ一歯分ずつ上方に上がるということは、積層されたパッチＰが減少していく際、下方からパッチＰを押し上げているパッチ押し筒８の雄爪歯８Ａとラチェット片１０の雌爪歯１０Ａとが、最大で爪歯の高さ一歯分だけ噛合ってない場合がある。この場合、パッチＰの貼り付け時に、パッチ押し筒８は爪歯の高さ一歯分だけ下降して噛合うことになる。
このため、手押し形の綴じ具１００のストロークは、爪歯の高さ一歯分に対応できるように余裕を持たせている。また、最上面のパッチＰの位置が下がった場合、止め爪９Ａの位置も追従して下がるように、止め座９Ｃの下部に隙間Ｎを設けている。【００４９】  さらに、パッチ押し筒８は、パッチＰが減少して貼付ばね８Ｂにより上昇した場合、突起片８Ｃがスライド孔１１Ｂ内を上昇する。従って、パッチ押し筒８がどの上昇位置にあっても、突起片８Ｃとスライド孔１１Ｂとが係合している。
このため、パッチ押し筒８は、パッチＰの充填のための取外し作業時に、パッチ取付体１１と共に取外し可能な９０度回転が可能になる。【００５０】  次に、パッチ積層体ＰＬの枚数が無くなった場合の充填方法について説明する。
図２６にパッチ積層体ＰＬが完全に無くなった状態を示す。この状態において、図２７の（ａ）に示すように、パッチ支持体１２からパッチ取付体１１を９０度回転して緩め、パッチ取付体１１を下方に取り出す。この時、図２７の（ｂ）に示すように、パッチ取付体１１の回転は、スライド板１１Ａから突起片８Ｃを介して、パッチ押し筒８も取り出す。ここで、パッチ支持体１２からパッチ取付体１１を９０度回転して緩めた場合、図２４の（ｂ）に示すように、パッチ押し筒８の雄爪歯８Ａが、ラチェット片１０の雌爪歯１０Ａに対して９０度回って噛合い部分が外れるため、噛合い部分が引っ掛かることなく、パッチ押し筒８とパッチ取付体１１を下方に取り出せる。【００５１】図２８に示すように、取り出したパッチ取付体１１に連結されたパッチ押し筒８に、消耗品として予め用意されたパッチ積層体ＰＬを取付ける。ここで、消耗品として用意されたパッチ積層体ＰＬには、パッチＰの中心の空孔ＰＨに充填棒Ｒが挿入されて積層品がバラバラにならないようにしている。
図２９は、充填棒Ｒが挿入されたパッチ積層体ＰＬを、パッチ押し筒８に上方から挿入した状態を示す。
図３０に示すように充填棒Ｒが挿入されたままの、パッチ積層体ＰＬを取付けたパッチ取付体１１をパッチ支持体１２に挿入し、９０度回転してパッチ押し筒８とラチェット片１０を噛合わせる。ここで、９０度回転させることにより、同時にパッチ取付体１１の外周のバヨネット部がパッチ支持体１２に繋がり取り付け固定される。
終りに充填棒Ｒを、パッチ取付体１１から引抜いて、パッチＰの充填作業が完了する。【００５２】  次に、前記のパッチ止め片９は、パッチ積層体ＰＬの上方への抜け止めと位置保持の機能を持つが、このパッチ止め片９から、中棒５１による保持方法に置き換えた機構について説明する。
図３１および図３２に中棒５１による構造と保持方法を示す。
中棒パッチ支持体５２は、ブロック部１Ｂに取付ボルト１２Ａにより固定されている。
この中棒パッチ支持体５２は、中棒パッチ取付体５３を内挿すると共に、上端部にパッチ積層体ＰＬを備えており、中心に中棒５１を設けている。
中棒５１は、上端部分に止め鍔５１Ａを備え、パッチ積層体ＰＬの上方への抜け止めとしており、下端には、中棒５１の直径より小さい直径を有する引掛け部５１Ｂを有している。なお、中棒パッチ支持体５２の上部には、一対のラチェット片１０とパッチ押し筒８および貼付ばね８Ｂを設けており、これらの部品は、前記パッチ止め片９により保持する部品と同一品であり、作用も同じである。【００５３】  中棒パッチ取付体５３は、内部にフック軸５４Ａを回転軸としたフックレバー５４を設けている。
フックレバー５４は、上部に引掛け片５４Ｂを備え、中棒５１の引掛け部５１Ｂを引掛けている。また、フックレバー５４の引掛け片５４Ｂの反対側には、プッシュレバー５４Ｄを備えている。さらに、プッシュレバー５４Ｄの上部には弾性体５５が設けられている。この弾性体５５はゴムなどの材料で形成されており、一方でプッシュレバー５４Ｄを上方から押さえており、この圧縮力はフック軸５４Ａを介して、引掛け片５４Ｂを中棒５１の引掛け部５１Ｂに押し付けている。また、他方は中棒５１の先端部５１Ｃを反発力で上方に押し上げている。【００５４】  次に、図３１および図３２における中棒パッチ支持体５２周りの機能について説明する。中棒パッチ支持体５２は、折曲片ＳにパッチＰを貼り付けると共に、綴じ作動によりパッチ積層体ＰＬの枚数が減少しても、次のパッチＰの貼り付けが可能なように準備する機能を有する。また、積層されたパッチＰの枚数が無くなった場合に、容易に充填が可能であることが要求される。
まず、パッチＰを貼り付ける場合、次のパッチＰの貼り付けが可能なように準備する機能については、手押し形の綴じ具１００が綴じ作動を繰り返すことにより、積層されたパッチＰの枚数が減少する。この減少したパッチ積層体ＰＬの最上面を、常に中棒５１の上端の止め鍔５１Ａの位置に保持しておき、次の綴じ作動に備える必要がある。
そのためにはパッチ押し筒８は、パッチ積層体ＰＬのパッチＰが減少して積層高さが低くなった分だけ上方に追従し、上昇した位置で下がらないようにロックする必要がある。
この中棒パッチ支持体５２が、折曲片ＳへパッチＰを確実に貼り付ける機能は、前記のパッチ止め片９により保持する方法における機能と同じである。【００５５】  次に、パッチ積層体ＰＬのパッチＰの枚数が無くなった場合の充填方法について説明する。図３３にパッチ積層体ＰＬのパッチＰの枚数が完全に無くなった状態を示す。
この図３３の状態において、中棒パッチ支持体５２から中棒パッチ取付体５３を９０度回転して緩め下方に取り出す。
図３４の（ａ）に中棒パッチ支持体５２から中棒パッチ取付体５３を取り出した状態を示す。また、図３４の（ｂ）に中棒パッチ支持体５２から中棒パッチ取付体５３とパッチ押し筒８を取り出した状態を示す。
ここで、パッチ押し筒８とラチェット片１０の機能は、前記のパッチ止め片９により保持する方法における機能と同じである。
図３５に示すように、中棒パッチ取付体５３から中棒５１を抜き出すためには、フックレバー５４のプッシュレバー５４Ｄを手押し力Ｍで下から押す。これにより引掛け片５４Ｂが中棒５１の引掛け部５１Ｂから外れ、引掛け状態が解放されるため、中棒５１は上方に取り出すことができる。
このとき、弾性体５５の圧縮力が先端部５１Ｃを押し上げるため、中棒５１は中棒パッチ取付体５３から勢いよく外れる。【００５６】  取り外された中棒５１は、図３６の（ａ）に示すように、パッチ積層体ＰＬを先端部５１Ｃ側から挿入し、止め鍔５１Ａにセットする。
図３６の（ｂ）に示すように、パッチ積層体ＰＬをセットした中棒５１を、貼付ばね８Ｂに抗して挿入し、引掛け部５１Ｂが、引掛け片５４Ｂに引っ掛かるまで押し込み、中棒５１の中棒パッチ取付体５３への取り付けが完了する。
パッチ積層体ＰＬを取り付けた中棒パッチ取付体５３を、中棒パッチ支持体５２に挿入し、９０度回転してねじ込み、充填作業が完了する。【００５７】  次に、綴じようとする用紙Ｙの枚数が多い場合に、用紙Ｙ同士がずれないように上から押さえて、切抜刃２により複数枚の用紙Ｙを綺麗に切り抜く、用紙押え板６０の機構について説明する。
図３７および図３８に用紙押え板６０を装着した場合の構造を示す。
用紙押え板６０は、押え棒６０Ａを介して、吊り部材６０Ｃによりガイドボックス５の上部に吊り下げられている。
用紙押え板６０は図４０に示すように、切抜刃２を下方に貫通させるための通し孔６０Ｄを形成し、用紙押え機能を持たせるために上部に押えばね６０Ｂを設けている。【００５８】  次に、用紙押え板６０の作用について説明する。
図３９に示すように、手押し形の綴じ具１００により綴じる場合、まず、用紙Ｙを用紙挿入部７Ｇに挿入する。
操作体１３を押し下げ、ガイドボックス５を介して切抜刃２を下降させる。この時、同時に用紙押え板６０も下降して、押えばね６０Ｂにより用紙Ｙを上から押さえる。
その後、用紙Ｙは用紙押え板６０に押さえられたまま、切抜刃２により切り抜かれる。
また、折込カム３が折曲片Ｓを内側に折り込む作用の時にも、用紙Ｙを用紙押え板６０で押えているため、用紙Ｙのずれや用紙Ｙ同士の浮きが生じ難くスムーズで綺麗な折り込みができる。
【実施例２】
【００５９】  図１５〜図１８は本発明のレバー形の基本構造を示す。
レバー形の綴じ具２００は、本発明の手押し形の手押し形の綴じ具１００の手押し作動から、レバーによる作動構造にして、より操作性を向上したものである。
このためレバー形の綴じ具２００は、レバー操作体３１周り以外は、手押し形の綴じ具１００と同じである。【００６０】  レバー形の綴じ具２００の全ての部品は、基台３０により支持されている。基台３０は図１７に示すように、その前方に背骨となるレバー背板３０Ａを設け、上部に基台ガイド部３０Ｄを有し、レバー背板３０Ａの後方にレバー軸孔３０Ｇを形成するレバー支持体３０Ｂを設けている。
また、レバー背板３０Ａの前方下部にレバーブロック部３０Ｃを設け、レバー背板３０Ａの下部にレバーロック溝３０Ｅが形成されている。
なお、レバー形の綴じ具２００の外周は、レバーカバー２０Ａで覆われている。【００６１】  基台３０は図１５および図１７に示すように、基台ガイド部３０Ｄにレバースライドケース３７のケースガイド部３７Ｃを上下動可能に挿入している。
レバースライドケース３７は図１８に示すように、上部に上側スライド部３７Ａを有し、下部に下側スライド部３７Ｂを備え、上側スライド部３７Ａと下側スライド部３７Ｂの間には用紙挿入部３７Ｇを設けている。また、上側スライド部７Ａと下側スライド部３７Ｂは、ケースガイド部３７Ｃにより一体的に接続されている。
上側スライド部３７Ａは、前方内部にカム軸３Ｃと、上部にケース蓋７Ｋを設け、側面にレバー操作長孔３７Ｆを備えている。また、下側スライド部３７Ｂの内部は空洞である。【００６２】  上側スライド部３７Ａは、図１５および図１６に示すように内部にガイドボックス５を上下動可能に挿入している。
ここで、ガイドボックス５の部品構成とその機能は、実施例１の手押し形の基本構造と同じである。
ガイドボックス５の左右には一対の連結ピン１３Ａを固定している。連結ピン１３Ａは、上側スライド部３７Ａのレバー操作長孔３７Ｆを介してレバー３１Ａに連結している。このため、レバー３１Ａの上下動は連結ピン１３Ａを介してガイドボックス５を上下動させる。
ここで、レバー操作体３１は、図１５、図１６および図１７に示すように手で握りやすいレバー３１Ａを設け、引上げられたレバー３１Ａを待機時の状態に復帰させる復帰ばね３１Ｄを上側に設けている。レバー３１Ａは、レバー軸孔３０Ｇに挿入されたレバー軸３１Ｃに回動自在に設けられ、前方先端部のレバー長孔３１Ｅと連結ピン１３Ａを介してガイドボックス５を上下動させる。また、レバー軸３１Ｃの下部にはスイングカム３１Ｂを設けている。【００６３】  レバーブロック部３０Ｃは、図１５および図１６に示すように、内部に下側スライド部３７Ｂを上下動可能に挿入しており、レバーブロック部３０Ｃと下側スライド部３７Ｂとの間にはパッチ戻しばね１６が設けられている。このレバーブロック部３０Ｃは内部にパッチ支持体１２を設け、パッチ支持体１２の内側にパッチ取付体１１を内挿している。
ここで、パッチ支持体１２とパッチ取付体１１の部品構成とその機能は、実施例１の手押し形の基本構造と同じである。【００６４】  スライドケース３７は図１５において、下側スライド部３７Ｂの下端をレバーロック体３５の先端部分により下降が停止され、図１５の作動前の待機状態が保たれている。
このレバーロック体３５は、基台３０のレバーロック溝３０Ｅに前後動可能に設けられている。また、レバーロック体３５は、前方で下側スライド部３７Ｂの下端を支持し、図１５に示すように後方の上側にカム受け部３５Ｂを有し、下側にレバー戻しばね３５Ａを設けている。
レバー戻しばね３５Ａは、後方の基台３０の壁を反力受けとしてレバーロック体３５を前方に押している。【００６５】  本発明の作用について、図１５、図１６、図１９および図２０で説明する。
まず、レバー形の綴じ具２００により用紙Ｙを綴じるには、レバー形の綴じ具２００に複数枚の用紙Ｙを用紙挿入部７Ｇに挿入し、レバー３１Ａを握って引上げる。
このレバー３１Ａの引上げ作動のみで、複数枚の用紙Ｙは綴じられる。【００６６】  レバー形の綴じ具２００の場合、複数枚の用紙Ｙを綴じるまでの、一連の部品の動きと作用については、用紙Ｙを切抜くための切抜刃２周りと、切抜かれた折曲片ＳにパッチＰを貼り付けるパッチ支持体１２周りとは、手押し形の綴じ具１００の場合と同じである。ここで、レバー形の綴じ具２００のレバー操作体３１の作用については、手押し形の綴じ具１００の操作体１３と相違しているため、レバー操作体３１周りの作用について説明する。【００６７】  複数枚の用紙Ｙを用紙挿入部３７Ｇに挿入し、レバー操作体３１のレバー３１Ａをレバー復帰ばね３１Ｄの圧縮力に抗して手で引上げると、その引上げ力は連結ピン１３Ａを介してガイドボックス５を押下げる。
この、ガイドボックス５を押下げる作動からのガイドボックス５内の作用は、実施例１と同じである。
また、レバー３１Ａを引上げると図１９に示すように、複数枚の用紙Ｙを切抜刃２により下方に切り抜き、折曲片Ｓを内側に折り込む作業が最初に行われる。
なお、この時のレバー３１Ａの引上げ作動により、レバー３１Ａに一体的に固定されているスイングカム３１Ｂが、レバーロック体３５のカム受け部３５Ｂを、レバー戻しばね３５Ａの圧縮力に抗して後方に少しずつ移動させている。【００６８】  次に、折曲片Ｓの下面にパッチ支持体１２によりパッチＰを貼り付ける作用について説明する。
図１９の状態からレバー３１Ａをさらに引き上げると、レバー３１Ａに一体的に固定されているスイングカム３１Ｂが、レバーロック体３５のカム受け部３５Ｂを、さらに後方に動かす。同時にレバーロック体３５の前方の先端部分が後方に移動する。
このため、レバーロック体３５の先端部分で停止されていた下側スライド部３７Ｂが、停止を解除され下降して、図２０に示すパッチＰを貼り付けた状態になる。
この下側スライド部３７Ｂが下降することにより、用紙挿入部３７Ｇに挿入された複数枚の用紙Ｙが下がり、上面に接着剤を付着したパッチＰが折曲片Ｓに押し付けられて貼り付けられる。この貼り付けの際、レバー３１Ａの引上げ力をより増すことにより、折曲片ＳへのパッチＰの貼り付け力が強くなり、確実な綴じ力が得られる。【００６９】  図２０のパッチＰを貼り付けた状態から、レバー３１Ａの引上げ力を取り去ると、パッチ戻しばね１６およびレバー復帰ばね３１Ｄの復帰力により、図１５および図１６の待機状態に復帰する。
なお、レバー形の綴じ具２００のパッチ支持体１２の作動と作用は、実施例１と同じである。【００７０】  ここで、レバー形の綴じ具２００の場合、実施例１での中棒５１による保持方法について、同一の構成での機構の適用が可能である。
また、用紙押え板６０の用紙押え機能についても、同一の構成での機構の適用が可能である。
【符号の説明】
【００７１】Ｙ        用紙                        Ｐ        パッチ
Ｓ        折曲片                      ＰＬ      パッチ積層体
１００    手押し形の綴じ具
１        手押し本体                  １Ｂ      ブロック部
１Ｃ      本体ガイド部                １Ｄ      ロック溝
２        切抜刃
３        折込カム                    ３Ａ      支軸
３Ｂ      復帰ばね                    ３Ｃ      カム軸
５        ガイドボックス
７        スライドケース              ７Ａ      上スライド部
７Ｂ      下スライド部                ７Ｃ      ガイド部
７Ｇ      用紙挿入部
８        パッチ押し筒                ８Ｂ      貼付ばね
９        パッチ止め片                ９Ａ      止め爪
１０      ラチェット片
１１      パッチ取付体
１２      パッチ支持体
１３      操作体                      １３Ａ    連結ピン
１３Ｂ    カム棒                      １３Ｃ    手押し部
１３Ｄ    復帰ばね                    １３Ｅ    勾配カム
１５      ロック体
２００    レバー形の綴じ具
３０      基台                        ３０Ｂ    レバー支持体
３０Ｃ    レバーブロック部            ３０Ｄ    基台ガイド部
３０Ｅ    レバーロック溝
３１      レバー操作体                ３１Ａ    レバー
３１Ｂ    スイングカム                ３１Ｃ    レバー軸
３１Ｄ    レバー復帰ばね              ３５      レバーロック体
３７      レバースライドケース        ３７Ａ    上側スライド部
３７Ｂ    下側スライド部              ３７Ｃ    ケースガイド部
３７Ｇ    用紙挿入部
５１      中棒                        ５１Ａ    止め鍔
５１Ｂ    引掛け部
５２      中棒パッチ支持体            ５３      中棒パッチ取付体
５４      フックレバー                ５４Ａ    フック軸
５４Ｂ    引掛け片                    ５４Ｄ    プッシュレバー
５５      弾性体
６０      用紙押え板                  ６０Ａ    押え棒
６０Ｂ    押えばね                    ６０Ｃ    吊り部材
【要約】
【課題】  金属製の針を使用せずに複数枚の用紙を綴じるために、従来の綴じ具では、操作の使い勝手がよくなかったり、綴じ込み部分が外れ易かったりしていた。これを、手で押すだけの簡単な操作方法で、確実で強固な綴じ込みが可能な綴じ具を提供する。
【解決手段】  複数枚の用紙を、一対の切抜刃２により切抜いて形成した折曲片Ｓを、折込カム３により用紙裏面に折り込み、パッチＰを貼り付ける作動構成により、複数枚の用紙を綴じる。
この作動構成を、操作体１３により、ガイドボックス５とスライドケース７を上下動させるだけで、簡単迅速で確実な綴じ込み状態が可能となる。
【選択図】図１【図１】
0005561631.tif 000002
【図２】
0005561631.tif 000003
【図３】
0005561631.tif 000004
【図４】
0005561631.tif 000005
【図５】
0005561631.tif 000006
【図６】
0005561631.tif 000007
【図７】
0005561631.tif 000008
【図８】
0005561631.tif 000009
【図９】
0005561631.tif 000010
【図１０】
0005561631.tif 000011
【図１１】
0005561631.tif 000012
【図１２】
0005561631.tif 000013
【図１３】
0005561631.tif 000014
【図１４】
0005561631.tif 000015
【図１５】
0005561631.tif 000016
【図１６】
0005561631.tif 000017
【図１７】
0005561631.tif 000018
【図１８】
0005561631.tif 000019
【図１９】
0005561631.tif 000020
【図２０】
0005561631.tif 000021
【図２１】
0005561631.tif 000022
【図２２】
0005561631.tif 000023
【図２３】
0005561631.tif 000024
【図２４】
0005561631.tif 000025
【図２５】
0005561631.tif 000026
【図２６】
0005561631.tif 000027
【図２７】
0005561631.tif 000028
【図２８】
0005561631.tif 000029
【図２９】
0005561631.tif 000030
【図３０】
0005561631.tif 000031
【図３１】
0005561631.tif 000032
【図３２】
0005561631.tif 000033
【図３３】
0005561631.tif 000034
【図３４】
0005561631.tif 000035
【図３５】
0005561631.tif 000036
【図３６】
0005561631.tif 000037
【図３７】
0005561631.tif 000038
【図３８】
0005561631.tif 000039
【図３９】
0005561631.tif 000040
【図４０】
0005561631.tif 000041